(57)【要約】【課題】  物品入りブリスター容器において、ブリスターカバーの下端部と蓋板の下端部との間の隙間から物品が飛出し又は脱落することを、簡易な方法により防止することにある。【解決手段】  ブリスター容器１００であって、蓋板２０の両折り返し側縁１４の間に差し込まれない非差込み端部２３に設けた物品支え部２４を、ブリスターカバー１０における物品収納部１１の壁内面と収納された物品１の一端との間に折り込んだもの。【選択図】  図１
2010120676.tif 000002
【特許請求の範囲】
【請求項１】
物品が収納される物品収納部が形成されたブリスターカバーと、該ブリスターカバーにおける物品収納部の開口を閉蓋する蓋板とからなり、ブリスターカバーの開口の両側を背面側に折返した折り返し側縁とし、両折り返し側縁の間に蓋板を差し込んでなる物品入りブリスター容器であって、
蓋板の両折り返し側縁の間に差し込まれない非差込み端部に設けた物品支え部を、ブリスターカバーにおける物品収納部の壁内面と収納された物品の一端との間に折り込んだ物品入りブリスター容器。
【請求項２】
前記物品支え部が、蓋板の非差込み端部において内側に切り込まれた切込み部に挟まれてなる請求項１に記載の物品入りブリスター容器。
【請求項３】
前記物品の一端が薄肉状をなす請求項１又は２に記載の物品入りブリスター容器。
【発明の詳細な説明】
【技術分野】
【０００１】
本発明は、日用雑貨、玩具、事務用品、機械部品、電化製品、乾電池等の物品を収納する物品入りブリスター容器に関する。
【背景技術】
【０００２】
従来、特許文献1、２に記載される如くの物品入りブリスター容器がある。物品入りブリスター容器は、物品が収納される物品収納部が形成されたブリスターカバーと、該ブリスターカバーにおける物品収納部の開口を閉蓋する蓋板とからなり、ブリスターカバーの開口の両側を背面側に折返した折り返し側縁とし、両折り返し側縁の間に蓋板を差し込んで組立てられる。
【０００３】
この物品入りブリスター容器では、ブリスターカバーの両折り返し側縁の間に差し込まれた蓋板が、例えば該蓋板の上下端部の両側縁に設けられてその板巾方向の外向きに突出する係止爪部を、ブリスターカバーの各折り返し側縁の上下の端面に係止することにより、ブリスターカバーへの差し込み状態を固定化する。
【特許文献１】特開2008-24354
【特許文献２】特開2003-221066
【発明の開示】
【発明が解決しようとする課題】
【０００４】
従来の物品入りブリスター容器では、ブリスターカバーの下端部と、蓋板の両折り返し側縁の間に差し込まれない非差込み端部たる下端部との間に隙間が存在する。特に、物品入りブリスター容器の取扱いに際し、組立て状態にあるブリスターカバー及び蓋板の両側縁をそれらの板巾方向に挟むようにつかむとき、ブリスターカバーと蓋板が反対方向に湾曲すると、上述の隙間が拡大するものになる。物品がチューブ状容器の如くであり、物品の下端が薄肉状をなしていると、物品の下端側部分が上述の隙間から外に飛び出して見栄えを損ない、又は物品が上述の隙間から外に脱落するおそれがある。
【０００５】
特許文献２に記載の物品入りブリスター容器では、蓋板に相対するブリスターカバーの下端縁に折り返し可能なフラップ片を形成し、物品がブリスターカバーの物品収納部から蓋板との間の隙間の側に移動できない状態にし、上述の物品の飛び出し、脱落を防止しようとしている。ところが、このような物品入りブリスター容器では、物品収納部や両折り返し側縁を備えてすでに３次元的に複雑な成形体であるブリスターカバーが、更にフラップ片を備える必要があって一層複雑な成形を必要とされる。
【０００６】
本発明の課題は、物品入りブリスター容器において、ブリスターカバーの下端部と蓋板の下端部との間の隙間から物品が飛出し又は脱落することを、簡易な構成により防止することにある。
【課題を解決するための手段】
【０００７】
請求項１の発明は、物品が収納される物品収納部が形成されたブリスターカバーと、該ブリスターカバーにおける物品収納部の開口を閉蓋する蓋板とからなり、ブリスターカバーの開口の両側を背面側に折返した折り返し側縁とし、両折り返し側縁の間に蓋板を差し込んでなる物品入りブリスター容器であって、蓋板の両折り返し側縁の間に差し込まれない非差込み端部に設けた物品支え部を、ブリスターカバーにおける物品収納部の壁内面と収納された物品の一端との間に折り込んだようにしたものである。
【発明を実施するための最良の形態】
【０００８】
図１〜図４に示す物品入りブリスター容器１００は、ブリスターカバー１０と蓋板２０（台紙とも称する）を有し、例えばチューブ状容器の如くに下端が薄肉状（又は先細状）をなす物品１を収納し、陳列スタンドに吊下げられ、又は載置されて販売に供される。
【０００９】
ブリスターカバー１０は、ポリ塩化ビニル、ポリエチレン、ポリプロピレン、ポリエチレンテレフタレート、ポリスチレン、ポリカーボネート等の各種の合成樹脂を用いた成形体等により構成できる。ブリスターカバー１０は、透明樹脂からなることにより、収納した物品１の外観を陳列時に視認させることができる。
【００１０】
ブリスターカバー１０は、図１〜図５に示す如く、物品１が収納される膨隆状の物品収納部１１を該ブリスターカバー１０の正面側に膨隆、かつ背面側に開口させるとともに、上下方向に延在させ、物品収納部１１の開口１２の両側部及び上部を外方に展延させた平板部１３としている。ブリスターカバー１０は、物品収納部１１の開口１２の両側で、平板部１３の側縁を該ブリスターカバー１０の背面側に折り返した折り返し側縁１４、１４としている。このとき、各折り返し側縁１４の上下の端面１４Ａ、１４Ｂを平板部１３の上下の端面１３Ａ、１３Ｂより引込み形成している。
【００１１】
尚、ブリスターカバー１０は、平板部１３の中央上部にフック穴等の吊下げ部１５を設けている。ブリスターカバー１０は、物品収納部１１の底壁１６を該ブリスターカバー１０の正面側に膨出させた自立用膨出部１７とし、この自立用膨出部１７の下面を陳列スタンド等の載置面に載置する脚とする。
【００１２】
蓋板２０は、板紙、合成紙、合成樹脂シート、板紙と樹脂シート等の積層シート等の各種の平板素材の剪断打抜き体等により構成できる。
【００１３】
蓋板２０は、図１〜図４、図６に示す如く、ブリスターカバー１０の平板部１３と概ね同一外形をなす平板状の蓋板本体２１を有する。蓋板本体２１は上下の端部を除く部分の板巾を、ブリスターカバー１０の両折り返し側縁１４、１４の間（各折り返し側縁１４が平板部１３の背面との間に形成するＵ字溝）に差し込みできるように、平板部１３の板巾を概ね同一又は僅かに小さくしている。蓋板２０は、ブリスターカバー１０の両折り返し側縁１４、１４の間に差し込まれる蓋板本体２１の両側縁に沿う上下の端部に、この板巾方向の外向きに直角段差をなし、ブリスターカバー１０の平板部１３の板巾よりも大きく突出する係止爪部２１Ａ、２１Ｂを備える。蓋板２０の蓋板本体２１における下端部の両側縁に備える両係止爪部２１Ｂは互いに、蓋板本体２１を後述する如くにブリスターカバー１０の上部から差し込むこととの関係により、蓋板本体２１の下向きに先細のテーパ状をなす。
【００１４】
蓋板２０は、蓋板本体２１の両側縁をその板巾方向に挟むようにして湾曲させることにて見かけ上の板巾を狭巾化する等により、図７に示す如く、蓋板本体２１を物品１が収容されているブリスターカバー１０の上部から両折り返し側縁１４、１４の間に差し込まれ、物品入りブリスター容器１００を組立てる。物品入りブリスター容器１００が組立てられた状態で、蓋板２０はブリスターカバー１０における物品収納部１１の開口１２を閉蓋する。このとき、蓋板２０は蓋板本体２１の上下の係止爪部２１Ａ、２１Ｂがブリスターカバー１０の各折り返し側縁１４の上下の端面１４Ａ、１４Ｂに抜けないように係止し（図２、図３）、ブリスターカバー１０への差し込み状態を固定化する。
【００１５】
尚、蓋板２０は、蓋板本体２１の中央上部に、ブリスターカバー１０の吊下げ部１５に合致するフック穴等の吊下げ部２２を設けている。
【００１６】
しかるに、物品入りブリスター容器１００にあっては、ブリスターカバー１０の下端部（物品収納部１１の底壁１６）と、蓋板２０の下端部との間の隙間Ｇ（図１）から物品１が飛出し又は脱落することを防止するため、以下の構成を具備する。
【００１７】
物品入りブリスター容器１００は、図１〜図４に示す如く、蓋板２０において、ブリスターカバー１０の両折り返し側縁１４、１４の間に差し込まれない非差込み端部２３（蓋板本体２１の下端部）に設けた舌片状の物品支え部２４を、ブリスターカバー１０における物品収納部１１の底壁１６の内面の上に添い設けるように蓋板本体２１の非差込み端部２３から概ね直角に折り曲げ可能にし、この物品支え部２４を底壁１６の内面と物品１の下端との間に折り込む。
【００１８】
蓋板２０は、図６に示す如く、平板状の蓋板本体２１の下端部（非差込み端部２３）の中央部から外方に舌片状の物品支え部２４を延在させる。物品支え部２４は、蓋板本体２１の下端部の中央部においてブリスターカバー１０の物品収納部１１（本実施例では自立用膨出部１７）の内巾範囲に入る舌片巾ａ、かつ物品収納部１１（自立用膨出部１７）の奥行深さ範囲に入る舌片長ｂとされる。更に、物品支え部２４は、蓋板本体２１の下端部（非差込み端部２３）において内側に切り込まれた両側の切込み部２５、２５（切込み長は例えば2mm）に挟まれるように設けられ、蓋板本体２１に対する物品支え部２４の折り曲げ片２４Ａを蓋板本体２１の下端面よりも上記切込み長分だけ底上げ可能にする。
【００１９】
物品入りブリスター容器１００は、蓋板２０に上述の如くの物品支え部２４、切込み部２５を設けたから、以下の作用効果を奏する。
【００２０】
(a)物品入りブリスター容器１００において、蓋板２０の両折り返し側縁１４、１４の間に差し込まれない非差込み端部２３に設けた物品支え部２４を、ブリスターカバー１０における物品収納部１１の底壁１６の内面と収納された物品１の下端との間に折り込んだ。従って、蓋板２０の物品支え部２４が、ブリスターカバー１０の下端部と蓋板２０の下端部との間の隙間Ｇを物品１に対して塞ぐものになり、物品１が上述の隙間Ｇから飛出し、又は脱落すること防止する。
【００２１】
(b)ブリスターカバー１０における物品収納部１１の開口１２を閉蓋するだけの単純形状の蓋板２０の端部に、単に物品支え部２４を付加するだけの簡素な構成により上述(a)を実現できる。蓋板２０は、例えば平板状をなす蓋板本体２１の端部に物品支え部２４を同一面上で延在させ、ブリスターカバー１０への組立時に単に折り上げるだけにより構成でき、平板素材を剪断する形状の調整だけによって簡易に製作できる。
【００２２】
(c)蓋板２０に設ける物品支え部２４が、蓋板２０の非差込み端部２３において内側に切込まれた切込み部２５に挟まれる。従って、蓋板２０の物品支え部２４を、ブリスターカバー１０における物品収納部１１の底壁１６の内面の側に折り込んだとき、物品支え部２４を蓋板２０の非差込み端部たる下端部よりも底上げし、蓋板２０の下端部をその物品支え部２４よりも下方に延在させるものになる。これにより、蓋板２０の非差込み端部２３たる下端部をブリスターカバー１０の下端部と同一レベルにまで延在させながら、蓋板２０の物品支え部２４をブリスターカバー１０における物品収納部１１の底壁１６の内面に当てて無理な力を加える如くがなく、該底壁１６の内面に添い設けることができる。物品入りブリスター容器１００は、蓋板２０とブリスターカバー１０の両者の下端レベルを合致させ、かつブリスターカバー１０における物品収納部１１の底壁１６を無理な力により歪ませることなく、物品入りブリスター容器１００の全体の見栄えを良くし、物品入りブリスター容器１００の下端面（本実施例では底壁１６の自立用膨出部１７）を陳列台等に配置したときの安定性を向上できる。
【００２３】
(d)物品１の下端が薄肉状をなすチューブ状容器の如くにおいて、物品１の下端側部分が前述(a)の隙間Ｇから飛出し、又は脱落することを効果的に防止できる。
【００２４】
物品入りブリスター容器１００は以下の如くに組立てられる。
(1)ブリスターカバー１０の物品収納部１１に物品１を収納する。
【００２５】
(2)蓋板２０の物品支え部２４を蓋板本体２１に対して面一に保ちながら、蓋板本体２１の両側縁をブリスターカバー１０の両折り返し側縁１４、１４の間に差し込む。
【００２６】
(3)ブリスターカバー１０に対する上述(2)の蓋板２０の差し込み過程で、蓋板本体２１の非差込み端部２３（折り曲げ線２４Ａ）から物品支え部２４を概ね直角に折り曲げ、この物品支え部２４をブリスターカバー１０における物品収納部１１の底壁１６の内面と物品１の下端との間に折り込む。
【００２７】
(4)ブリスターカバー１０に対する蓋板２０の差し込み終了段階で、蓋板本体２１の上下の係止爪部２１Ａ、２１Ｂをブリスターカバー１０の各折り返し側縁１４の上下の端面１４Ａ、１４Ｂに係止し、ブリスターカバー１０への蓋板２０の差し込み状態を固定化する。
【図面の簡単な説明】
【００２８】
【図１】図１は物品入りブリスター容器を示す断面図である。
【図２】図２は物品入りブリスター容器を示す正面図である。
【図３】図３は物品入りブリスター容器を示す背面図である。
【図４】図４は図１のIV-IV線に沿う断面図である。
【図５】図５はブリスターカバーを示す断面図である。
【図６】図６は蓋板を示す正面図である。
【図７】図７は物品入りブリスター容器の組立過程を示す模式図である。
【符号の説明】
【００２９】
１  物品
１０  ブリスターカバー
１１  物品収納部
１２  開口
１６  底壁
２０  蓋板
２３  非差込み端部
２４  物品支え部
２５  切込み部
１００  物品入りブリスター容器
【図１】
2010120676.tif 000003
【図２】
2010120676.tif 000004
【図３】
2010120676.tif 000005
【図４】
2010120676.tif 000006
【図５】
2010120676.tif 000007
【図６】
2010120676.tif 000008
【図７】
2010120676.tif 000009